(57)【特許請求の範囲】
【請求項１】
内容物が収容される内容器と、該内容器を離脱自在に収納した外容器と、を備える二重容器であって、
前記内容器の口部には、径方向の外側に向けて突出し前記外容器の口部の開口端縁上に載置される第１係合突片が周方向に間隔をあけて複数形成され、
前記複数の第１係合突片は、それぞれが前記口部の容器外表面から独立して突出され、
前記外容器の口部には、径方向の内側に向けて突出し前記第１係合突片を該外容器の口部の開口端縁との間で挟み込む第２係合突片を有するロックリングが、軸方向の移動が規制された状態で周方向に回転自在に嵌合され、
前記第１係合突片及び前記第２係合突片は、それぞれ３つ以上設けられ、
前記外容器には、前記第１係合突片に係合する回り止め片が周方向に間隔をあけて設けられ、
前記第１係合突片に前記回り止め片が係合した状態で、前記内容器および外容器に対する前記ロックリングの回転移動に伴い、前記第２係合突片と前記外容器の口部の開口端縁とによる前記第１係合突片の挟み込み、およびその解除が切替えられるように構成されていることを特徴とする二重容器。
【発明の詳細な説明】
【技術分野】
【０００１】
本発明は、内容器と外容器とを組み合わせた二重容器に関するものである。
【背景技術】
【０００２】
従来から、内容物が収容される内容器と、該内容器を離脱自在に収納した外容器と、を備える二重容器が知られている。
この種の二重容器においては、内容器を外容器に対して着脱する際に、内容器の外周部が、加えられた外力により変形することによって、内容器を外容器に容易に着脱することができなくなる場合があった。
【０００３】
そこで、このような問題を解決する手段として、例えば下記特許文献１に示されるような、内容器に、その外周部から垂下され、径方向の外側の押圧面が押圧されることで上端を支点にして径方向の内側に向けて回動する押圧部が設けられる一方、外容器には、該押圧部が離脱自在に係止される被係止部が設けられた構成が知られている。
この二重容器では、内容器を外容器に対して着脱するに際し、内容器の押圧部を径方向に弾性変位させることで、該押圧部が外容器の被係止部に対して係脱されるようになっている。
【先行技術文献】
【特許文献】
【０００４】
【特許文献１】特開２０１０−１９５４８４号公報
【発明の概要】
【発明が解決しようとする課題】
【０００５】
しかしながら、従来の二重容器では、内容器を外容器に対して着脱するに際し、内容器の外周部が、加えられた外力により変形するのを防ぐことに対して改善の余地があった。
【０００６】
本発明は、このような事情に鑑みてなされたものであって、内容器を外容器に対して着脱するに際し、内容器の外周部が、加えられた外力により変形するのを防ぎ、内容器を外容器に対して容易に着脱することができる二重容器を提供することを目的とする。
【課題を解決するための手段】
【０００７】
上記の目的を達成するために、この発明は以下の手段を提供している。
本発明に係る二重容器は、内容物が収容される内容器と、該内容器を離脱自在に収納した外容器と、を備える二重容器であって、前記内容器の口部には、径方向の外側に向けて突出し前記外容器の口部の開口端縁上に載置される第１係合突片が周方向に間隔をあけて複数形成され、前記複数の第１係合突片は、それぞれが前記口部の容器外表面から独立して突出され、前記外容器の口部には、径方向の内側に向けて突出し前記第１係合突片を該外容器の口部の開口端縁との間で挟み込む第２係合突片を有するロックリングが、軸方向の移動が規制された状態で周方向に回転自在に嵌合され、前記第１係合突片及び前記第２係合突片は、それぞれ３つ以上設けられ、前記外容器には、前記第１係合突片に係合する回り止め片が周方向に間隔をあけて設けられ、前記第１係合突片に前記回り止め片が係合した状態で、前記内容器および外容器に対する前記ロックリングの回転移動に伴い、前記第２係合突片と前記外容器の口部の開口端縁とによる前記第１係合突片の挟み込み、およびその解除が切替えられるように構成されていることを特徴としている。
【０００８】
本発明に係る二重容器によれば、ロックリングの第２係合突片と外容器の開口端縁とが内容器の第１係合突片を挟み込んだ状態では、内容器および外容器を相対的に軸方向に離間移動させることができず、内容器が外容器に対して固定される。
そして、外容器内の内容器を取り外す際には、まず、ロックリングを内容器および外容器に対して回転させることにより、第２係合突片と外容器の開口端縁とによる第１係合突片の挟み込みが解除され、内容器および外容器を相対的に軸方向に離間移動させることができ、内容器を外容器内から取り外すことができる。
【０００９】
以上のように、内容器を外容器に着脱するに際し、例えば内容器を押圧する等しなくても、単にロックリングを内容器および外容器に対して回転移動させればよいので、内容器が変形して例えばその外周面が外容器の内周面に圧接すること等を防ぐことが可能になり、内容器を外容器に対して容易に着脱することができる。
【００１０】
また、内容器を着脱するに際し、ロックリングを外容器から離脱させずに済むため、使用性を向上させることができる。例えば、ロックリングが外容器に螺着され、当該ロックリングが周方向の全周に亘る環状の第２係合突片を有する場合は、ロックリングを外容器から取り外した後に、内容器を取り出すという操作が必要になる。しかし、本発明の場合には、ロックリングを外容器から取り外すことなく、且つ、螺着されるネジ式の場合に比べて、内容器と外容器との係合解除に必要な回転量も少なくすることができる。
【発明の効果】
【００１１】
本発明に係る二重容器によれば、内容器を外容器に対して着脱するに際し、内容器の外周部が、加えられた外力により変形するのを防ぎ、内容器を外容器に対して容易に着脱することができる。
【図面の簡単な説明】
【００１２】
【図１】本発明の実施形態を説明するための二重容器の半断面図であって、図５に示すＡ−Ａ線断面図である。
【図２】図１の二重容器の内容器が外容器から取り外された状態を示した半断面図である。
【図３】図２に示す内容器の平面図である。
【図４】図１の二重容器においてオーバーキャップを取り外した状態を示す半断面図であって、図５に示すＢ−Ｂ線断面図である。
【図５】図４に示す二重容器の平面図であって、ロックリングによって内容器の軸方向の移動が規制された状態の図である。
【図６】図４に示す二重容器の平面図であって、ロックリングによる内容器の軸方向の移動の規制が解除された状態の図である。
【発明を実施するための形態】
【００１３】
以下、本発明に係る二重容器の実施形態について図面を参照して説明する。
【００１４】
図１および図２に示すように、本実施形態の二重容器１は、内容物が収容される内容器１１と、内容器１１を離脱自在に収納した外容器１２と、を備えるとともに、外容器１２内に収納した内容器１１の離脱を防止するロックリング２が外容器１２に被着され、内容器１１の口部１１ａに装着されるオーバーキャップ３が設けられた構成となっている。
内容器１１および外容器１２は、それぞれ有底筒状に形成され、各中心軸線が共通軸上に位置するように配設されている。以下、この共通軸を中心軸Ｏといい、中心軸Ｏ方向に沿って口部１１ａ、１２ａ側を上側といい、底部１１ｂ、１２ｂ側を下側といい、また中心軸Ｏに直交する方向を径方向といい、中心軸Ｏ回りに周回する方向を周方向という。
【００１５】
内容器１１の口部１１ａには、径方向の外側に向けて突出し外容器１２の口部１２ａの開口端縁１２ｃ上に載置される第１係合突片１１ｃが周方向に間隔をあけて複数形成されている（図３参照）。口部１１ａのうち第１係合突片１１ｃより上側に位置する部分の外周部分には、口部１１ａの開口を塞ぐ薄肉キャップ１３、またはオーバーキャップ３が被着される雄ねじ部１１ｄが形成されている。薄肉キャップ１３は、例えば外容器１２に収納される前の内容器１１に装着され、外容器１２に内容器１１が収納される際に取り外される。
また、内容器１１の底部１１ｂは、下方に向けて膨出するすり鉢状（半球状）に形成されている。
【００１６】
外容器１２の口部１２ａには、径方向の外側に突出し下方に向けて延在し、該外容器１２のうち口部１２ａより下方に位置する部分（内筒１２Ａ）を径方向の外側から囲繞する外筒１２Ｂが配設されている。
【００１７】
図１および図４に示すように、外容器１２の口部１２ａには、外周面にロックリング２をアンダーカット嵌合させる凹溝１２ｄが周方向に沿って設けられている。
図２に示すように、外容器１２の開口端縁１２ｃ上には、第１係合突片１１ｃに係合する回り止め片１２ｅが周方向に間隔をあけて複数上方に向けて突設されている。つまり、第１係合突片１１ｃが回り止め片１２ｅに係合した状態で開口端縁１２ｃ上に載置され、これにより内容器１１および外容器１２の相対的な周方向への回転移動を規制する回り止めの機能を有している。
【００１８】
図２、図４〜図６に示すように、ロックリング２は、外容器１２の口部１２ａに対してアンダーカット嵌合され、軸方向の相対移動が規制された状態で周方向に回転自在に嵌合されている。ロックリング２の上端には、径方向の内側に向けて突出し第１係合突片１１ｃを外容器１２の口部１２ａの開口端縁１２ｃとの間で挟み込む第２係合突片２１が周方向に間隔をあけて複数形成されている。ここで、周方向に隣り合う第２係合突片２１、２１同士の間には、径方向内側が開放された凹部２２が形成されている。この凹部２２は、第１係合突片１１ｃと同じ形状でこれより僅かに大きな形状に形成されている。
【００１９】
そして、二重容器１は、内容器１１および外容器１２に対するロックリング２の回転移動に伴い、第２係合突片２１と外容器１２の口部１２ａの開口端縁１２ｃとによる第１係合突片１１ｃの挟み込み（図５に示すロック状態Ｔ）、およびその解除（図６に示す解除状態Ｒ）が切替えられるように構成されている。解除状態Ｒにおいて、第２係合突片２１と外容器１２の開口端縁１２ｃとによる第１係合突片１１ｃの挟み込みが解除され、平面視で第１係合突片１１ｃがロックリング２の凹部２２内に位置し、第１係合突片１１ｃの上方が開放された状態になる。
【００２０】
図１に示すように、オーバーキャップ３は、内容器１１に螺着される螺着筒３１と、この螺着筒３１を径方向の外側から囲繞する囲繞筒３２と、これらの両筒３１、３２を上方から一体に覆う天壁部３３と、を備えている。螺着筒３１の内周面には、内容器１１の口部１１ａの雄ねじ部１１ｄに螺合される雌ねじ部３１ａが形成されている。また、天壁部３３の内側には、円盤状のパッキン３４が嵌合されている。このパッキン３４は、外周部が内容器１１の口部１１ａの上端面に対して密着してシールされ、内容器１１内を密封している。ロックリング２は、囲繞筒３２によって覆われている。
【００２１】
以上説明した本実施形態による二重容器１によれば、以下の作用効果を奏する。
すなわち、上記のように構成された二重容器１では、図１および図５に示すように、ロックリング２の第２係合突片２１と外容器１２の開口端縁１２ｃとが内容器１１の第１係合突片１１ｃを挟み込んだ状態において、内容器１１および外容器１２を相対的に軸方向に離間移動させることができず、内容器１１が外容器１２に対して固定される。
【００２２】
そして、図４および図６に示すように、外容器１２内の内容器１１を取り外す際には、まず、オーバーキャップ３を内容器１１の口部１１ａから取り外した状態において、ロックリング２を内容器１１および外容器１２に対して回転させ、平面視で第１係合突片１１ｃがロックリング２の凹部２２内に位置させることにより、第２係合突片２１と外容器１２の開口端縁１２ｃとによる第１係合突片１１ｃの挟み込みが解除される。つまり、第１係合突片１１ｃの上方に第２係合突片２１が位置しない状態となるので、内容器１１および外容器１２を相対的に軸方向に離間移動させることができ、内容器１１を外容器１２内から抜き出して取り外すことができる。
【００２３】
以上のように、内容器１１を外容器１２に着脱するに際し、例えば内容器１１を押圧する等しなくても、単にロックリング２を内容器１１および外容器１２に対して回転移動させればよいので、内容器１１が変形して例えばその外周面が外容器１２の内周面に圧接すること等を防ぐことが可能になり、内容器１１を外容器１２に対して容易に着脱することができる。
【００２４】
また、例えばロックリングが外容器に螺着され、当該ロックリングが周方向の全周に亘る環状の第２係合突片を有する場合には、ロックリングを外容器から取り外した後に、内容器を取り出すという操作が必要になる。これに対して、本実施の形態では、内容器１１を着脱するに際し、ロックリング２を外容器１２から離脱させずに済むことから、使用性を向上させることができる。さらに、本実施形態のロックリング２では、螺着されるネジ式の場合に比べて、内容器１１と外容器１２との係合解除に必要な回転量も少なくすることができる。
【００２５】
また、内容器１１が第１係合突片１１ｃによって、外容器１２の開口端縁１２ｃに懸架されているため、前記実施形態のように内容器１１単独では使用し難い（机などの上に正立できない）底部が半球状のようなデザインであっても、問題なく使用することができる。
【００２６】
なお、本発明の技術範囲は、上記実施形態に限定されるものではなく、本発明の趣旨を逸脱しない範囲において、種々の変更を加えることが可能である。
【００２７】
例えば、前記実施形態ではロックリング２の第２係合突片２１が周方向に全周にわたって間隔をあけて複数形成されているが、複数であることに制限されることはない。例えば、第２係合突片２１は少なくとも１つあれば良い。但し、第２係合突片２１は１つよりも複数設ける方が周方向の支持バランスを確保することができる。
また、ロックリング２のロック状態と解除状態との間を移動するように、位置決め手段を設けてもよい。
【００２８】
また、本実施形態では外容器１２は底部１２ｂを有する有底筒状の形状としているが、底部が開放されている筒体であっても良い。
さらに、ロックリング２は外容器１２の口部１２ａに対してアンダーカット嵌合であることに限定されることはない。
さらにまた、本実施形態の二重容器１では、オーバーキャップ３を備えた構成を例に挙げて説明したが、これに限定されることはなく、このオーバーキャップ３を省略した構成のものや、他の形状の蓋部材を設けた構成とすることも可能である。
【００２９】
その他、本発明の趣旨を逸脱しない範囲で、上記した実施形態における構成要素を周知の構成要素に置き換えることは適宜可能である。
【符号の説明】
【００３０】
１  二重容器
２  ロックリング
３  オーバーキャップ
１１  内容器
１１ａ  口部
１１ｃ  第１係合突片
１２  外容器
１２ａ  口部
１２ｃ  開口端縁
２１  第２係合突片
２２  凹部
Ｏ  中心軸
【図１】
0005975615.tif 000002
【図２】
0005975615.tif 000003
【図３】
0005975615.tif 000004
【図４】
0005975615.tif 000005
【図５】
0005975615.tif 000006
【図６】
0005975615.tif 000007